(57)【要約】【課題】あらかじめ設定していた通知手段には、利用者が新規定の規定値に基づいて調整変更ができない。このため、利用者の病状に対する判断間違いと治療遅れが発生する。【解決手段】血圧測定基準値設定可能な血圧計であって、該装置に設定手段を設け、関連衛生組織の基準値及び危険値修正、または医療者の指示に従って、正常値又は危険値を再設定し利用者それぞれの実情に合わせることができる【選択図】図２
0003128181.tif 000002
【実用新案登録請求の範囲】
【請求項１】
血圧測定標準値設定可能な血圧計において、
体の動脈血圧を測定する、圧力センサーと、
圧力センサーに連結し、測定されたアナログ血圧値をデジタル信号に変換する、アナログ／デジタル変換手段と、
前記アナログ／デジタル変換手段に連結し、データの判断処理を行う、マイクロプロセッサーと、
前記マイクロプロセッサーに接続し、結果を表示する、表示手段と、
前記マイクロプロセッサーに連結し、一連の血圧基準値の設定変更を行う、設定手段と、
前記マイクロプロセッサーに連結し、参考背景の変数値及び測定値を保存する、データ保存手段と、
前記マイクロプロセッサーに連結し、血圧測定値とあらかじめ設定された基準値とで比較を行い、バックライトモジュールより多色表示にて通知する、通知手段と、
前記圧力センサー、マイクロプロセッサー、表示手段、及び設定手段に連結して必要な電気を供給する、電気供給手段と、を有し、
前記設定手段は、
測定時に世界保健機関（ＷＨＯ）、高血圧の発見・診断および治療に関する米国合同委員会、ＪＮＣまたは医療関連組織より頒布した基準血圧値と危険値及び最新に修正された健康参考基準値、又は医師の指示に従って、血圧基準値を再設定する機能を有し、
前記データ保存手段は、
利用者より設定した血圧基準値と医療関連組織の頒布値との比較を行い、該利用者は高血圧患者または低血圧患者の判断を行った後、それらの数値を保存する機能を有し、
前記通知手段は、
測定時に再設定後の基準値と測定値との比較を行い、前記表示手段によって通知を行う機能を有することを特徴とする、
血圧測定標準値設定可能な血圧計。
【請求項２】
前記設定手段に押しボタンを設けることを特徴とする、請求項１記載の血圧測定基準値設定可能な血圧計。
【請求項３】
前記表示手段に液晶表示モジュールを設けることを特徴とする、請求項１記載の血圧測定基準値設定可能な血圧計。
【請求項４】
前記データ保存手段は外部メモリ装置を使用することを特徴とする、請求項１記載の血圧測定基準値設定可能な血圧計。
【請求項５】
前記通知手段は前記バックライトモジュールの多色表示に合わせて、様々な音声で対応することを特徴とする、請求項１記載の血圧測定基準値設定可能な血圧計。
【考案の詳細な説明】
【技術分野】
【０００１】
本考案は基準値を自己設定可能な血圧計に関わるもので、利用者は設定手段より測定基準値の再設定を行い、世界保健機関（ＷＨＯ）、高血圧の発見、診断および治療に関する米国合同委員会、 ＪＮＣまたは医療関連組織の改定した最新の健康参考基準値または医療関係者が提案する、利用者自身の病状に合った計測基準値を修正できる。
【０００２】
さらに、また、通知手段のバックライトモジュールより、様々な色調または音声などの方式を利用すれば、利用者は複雑な測定値が代表する意味を記憶する必要がない。それぞれの灯信号や音声から、測定値が正常、または危険などの情報をすぐ理解できる。
【背景技術】
【０００３】
在宅介護の観念がだんだん高まり、快速、廉価で、専業者による操作が不要、在宅のまま自己検知できる製品も増えている。その中、血糖測定器、電子検温計、電子式血圧計など、利用者は自分の健康状態を知りたいとき、時間とお金をかけてわざわざ医療施設に赴く、医療関係者協力のもとで、測定する必要がない。手持ちの医療計器があれば、いずでも、どこでも自分からだ健康状態を把握でき、病気の悪化は避けられる。
【考案の開示】
【考案が解決しようとする課題】
【０００４】
通常、利用者は医療者でないため、各種医療機器の測定による測定値の意味が理解できない。一方、医療機器は工場出荷のとき、メーカは世界保健機関（ＷＨＯ）、高血圧の発見、診断および治療に関する米国合同委員会（ＪＮＣ）または医療関連組織が改定された最新の血圧基準値と危険値に従い、様々な色または警告音声をあらかじめ設定し、正常値又は危険値を利用者に通知する。
【０００５】
しかし、医療科学の発展並びに臨床経験の蓄積により、前記した世界保健機関（ＷＨＯ）、高血圧の発見、診断および治療に関する米国合同委員会（ＪＮＣ）または医療関連組織は、血圧基準値と危険値について、随時修正される。
【０００６】
一例として、該委員会第７回委員会（ＪＮＣ７）は２００３年に血圧基準値の修正を行い、第６回委員会（ＪＮＣ６）で修正された収縮圧／拡張圧＜１４０／９０ｍｍＨｇの基準血圧値を収縮圧／拡張圧＜１２０／８０ｍｍＨｇに修正。これにより、利用者は新規定された基準値及び危険値を改めて覚えなければならない。
【０００７】
一方、装置メーカが工場出荷のとき、あらかじめ設定していた通知手段には、利用者が新規定の規定値に基づいて調整変更ができない。このため、利用者の病状に対する判断間違いと治療遅れが発生する。
【０００８】
さらに、利用者は家族の遺伝要因または発症状況などは、頒布された基準値と異なる場合がある。一例として、高血圧患者の血圧平均値は正常人より高く現れるが、平時は著しい異常状況は見られない。この場合は、危険値を適宜に引き上げて、その患者の平均値に合わせる。
【０００９】
しかしながら、メーカが工場出荷のときに設定した通知の危険値が調節できないため、利用者に無用な心配を与える。さらに、腎臓透析者の血圧平均値は健常人に比べて低く現れる。このとき、危険通知値を引き下げて、その患者の平均値水準で血圧を測定しなければならない。
【００１０】
測定された血圧値は基準値範囲を利用者に提供するため、公知技術の血圧計は多色の灯信号を提供している。一例として、高血圧患者の収縮圧／拡張圧＜１２０／８０ｍｍＨｇを緑灯、または高血圧予備患者の収縮圧／拡張圧＝１２０〜１３９／８０〜８９ｍｍＨｇを黄色灯、高血圧危険患者の収縮圧／拡張圧＞１４０ ／９０ｍｍＨｇを赤灯により、それぞれ表示する。
【００１１】
しかし、腎臓透析者と低血圧患者の血圧値は健常人の血圧平均値より低いため、測定された血圧値が一定数値より下回るとき、危険信号を患者に提供することができない。一方、通知手段が小さいため、その電灯が小さく、輝度も弱い。特に血圧計を常用する年配者または患者たちの視力もよくないため、灯号の色合い識別が難しい。
【課題を解決するための手段】
【００１２】
本考案人は前記した公知技術の欠点の改善策を研究し、合理の解決を図り、分析、研究および設計を繰り返した結果、本考案の血圧測定基準値設定可能な血圧計を思案した。
【００１３】
設定手段を設け、関連衛生組織の基準値及び危険値修正、または医療者の指示に従って、正常値又は危険値を再設定し利用者それぞれの実情に合わせることができる、一種の血圧測定基準値設定可能な血圧計を提供することを本考案の一つの目的とする。
【００１４】
圧力センサーを設け、アナログ／デジタル変換手段に連結する。該アナログ／デジタル変換手段はさらにマイクロプロセッサーに連結し、該マイクロプロセッサーは設定手段、表示手段、データ保存手段及び供給手段電気供給手段に接続する。
【００１５】
使用時、圧力センサーより血圧を測定した後、アナログ／デジタル変換手段により、数値データに変換する。あらかじめ、マイクロプロセッサーよって、利用者個人に適合した血圧基準値または危険値を設定手段に設定しておいたその基準値または危険値をデータ保存手段より読み出して、比較を行った後、通知手段によって、あらかじめ設定された通知方式で利用者に通知する。
これにより、利用者本人自身に体の状況の把握を図る、一種の血圧測定基準値設定可能な血圧計を提供することを本考案のもう一つの目的とする。
【００１６】
マイクロプロセッサーを設けて、利用者の再設定された危険値と関連衛生組織が頒布した基準血圧値との比較を行う。
利用者より設定した危険通知値が基準血圧値を上回るとき、該利用者は高血圧患者と仮定する。その後に測定した血圧値が基準血圧値を上回るとき、
【００１７】
通知手段より、あらかじめ設定された通知方式を利用者に通知する。一方、利用者より設定した危険通知値が基準血圧値を下回るとき、該利用者は低血圧患者と仮定する。その後に測定した血圧値が基準血圧値を下回るとき、通知手段より、あらかじめ設定された通知方式で利用者に通知する、一種の血圧測定基準値設定可能な血圧計を提供することを本考案のさらに一つの目的とする。
【００１８】
表示手段はLCD液晶表示モジュールを使用し、測定の結果をLCDに表示する、一種の血圧測定基準値設定可能な血圧計を提供することを本考案のさらに一つの目的とする。
【００１９】
通知手段は、多色バックライトモジュールを使用し、測定の結果を多色表示により、利用者の血圧値が正常又は要注意、危険を区別して表示する、一種の血圧測定基準値設定可能な血圧計を提供することを本考案のさらに一つの目的とする。
【００２０】
通知手段は多色バックライトモジュールを使用する一種の血圧測定基準値設定可能な血圧計を提供することを本考案のさらに一つの目的とする。
【００２１】
すなわち、本願の第１考案は、血圧測定標準値設定可能な血圧計において、体の動脈血圧を測定する、圧力センサーと、圧力センサーに連結し、測定されたアナログ血圧値をデジタル信号に変換する、アナログ／デジタル変換手段と、前記アナログ／デジタル変換手段に連結し、データの判断処理を行う、マイクロプロセッサーと、前記マイクロプロセッサーに接続し、結果を表示する、表示手段と、前記マイクロプロセッサーに連結し、一連の血圧基準値の設定変更を行う、設定手段と、前記マイクロプロセッサーに連結し、参考背景の変数値及び測定値を保存する、データ保存手段と、前記マイクロプロセッサーに連結し、血圧測定値とあらかじめ設定された基準値とで比較を行い、バックライトモジュールより多色表示にて通知する、通知手段と、前記圧力センサー、マイクロプロセッサー、表示手段、及び設定手段に連結して必要な電気を供給する、電気供給手段と、を有し、前記設定手段は、測定時に世界保健機関（ＷＨＯ）、高血圧の発見・診断および治療に関する米国合同委員会、ＪＮＣまたは医療関連組織より頒布した基準血圧値と危険値及び最新に修正された健康参考基準値、又は医師の指示に従って、血圧基準値を再設定する機能を有し、前記データ保存手段は、利用者より設定した血圧基準値と医療関連組織の頒布値との比較を行い、該利用者は高血圧患者または低血圧患者の判断を行った後、それらの数値を保存する機能を有し、前記通知手段は、測定時に再設定後の基準値と測定値との比較を行い、前記表示手段によって通知を行う機能を有することを特徴とする、血圧測定標準値設定可能な血圧計であることを要旨としている。
【００２２】
また、本願の第２考案は、前記設定手段に押しボタンを設けることを特徴とする、本願の第1考案に記載の血圧測定基準値設定可能な血圧計であることを要旨としている。
【００２３】
また、本願の第３考案は、前記表示手段に液晶表示モジュールを設けることを特徴とする、本願の第1考案に記載の血圧測定基準値設定可能な血圧計であることを要旨としている。
【００２４】
また、本願の第４考案は、前記データ保存手段は外部メモリ装置を使用することを特徴とする、本願の第1考案に記載の血圧測定基準値設定可能な血圧計であることを要旨としている。
【００２５】
また、本願の第５考案は、前記通知手段は前記バックライトモジュールの多色表示に合わせて、様々な音声で対応することを特徴とする、本願の第1考案に記載の血圧測定基準値設定可能な血圧計であることを要旨としている。
【考案を実施するための最良の形態】
【００２６】
[実施例]
本考案の血圧測定基準値設定可能な血圧計は、図１、図２に示すとおり、主に本体１００を設け、該本体１００は任意の形状より形成する。
該本体１００に電気供給手段１０を設け、該電気供給手段１０は本体１００に備えるスタートボタン１１に連結する。使用のときスタートボタン１１を操作することにより、測定の関連装置を起動できる。
【００２７】
該本体１００にマイクロプロセッサー２０を設け、該マイクロプロセッサー２０は電気供給手段１０に連結する。該マイクロプロセッサー２０はさらにアナログ／デジタル変換手段３０に連結し、該アナログ／デジタル変換手段３０は圧力センサー４０に連結する。
該圧力センサー４０はカフ４１に連結し、該カフ４１は上腕または腕部に巻き付け、カフ４１に空気を注入し、上腕または腕部の動脈を圧迫して、動脈の血液脈動を測定する。さらに、該アナログ／デジタル変換手段３０は圧力センサー４０より測定された信号をデジタル信号に変換する。
【００２８】
該マイクロプロセッサー２０はさらに設定手段５０、表示手段６０、データ保存手段７０、及び通知手段８０に連結する。そのうち、表示手段６０は液晶表示モジュール（ＬＣＤ）を設け、結果を表示する。各種血圧値の変更設定のため、設定手段５０に押しボタンを設ける。さらに、データ保存手段７０はメモリ装置を設ける。該データ保存手段７０は、あらかじめ設定した血圧測定値と既往の血圧測定結果の歴史値を保存する。
【００２９】
このほか、通知手段８０はバックライトモジュール（Back light module）を設け、測定結果は通知手段８０のバックライトモジュールより多色表示する。
【００３０】
もし、利用者が関連衛生組織の頒布値に基づいて、血圧基準値と危険値を修正し、設定された通知血圧値が基準血圧値を上回るとき、該利用者は高血圧患者と仮定する。その後に測定した血圧値が基準血圧値を上回るとき、マイクロプロセッサーは２０通知手段８０を制御し、あらかじめ設定された通知方式で利用者に通知する。一例として、基準血圧値（収縮圧／拡張圧＜１２０／８０ｍｍＨｇ）のとき、バックライトモジュールより緑色を表示する。高血圧予備患者（収縮圧／拡張圧＝１２０〜１３９／８０〜８９ｍｍＨｇ）のとき、バックライトモジュールより黄色を表示する。高血圧危険患者（収縮圧／拡張圧＞１４０ ／９０ｍｍＨｇ）のとき、バックライトモジュールより赤色を表示する。
【００３１】
一方、利用者より設定した危険通知値が基準血圧値を下回るとき、該利用者は低血圧患者と仮定する。その後に測定した血圧値が基準血圧値を下回るとき、通知手段８０より、あらかじめ設定された通知方式で利用者に通知する。一例として、基準血圧値（収縮圧／拡張圧＜１２０／８０ｍｍＨｇ）のとき、バックライトモジュールより緑色を表示する。その収縮圧／拡張圧＝１１０〜１００／７０〜７５ｍｍＨｇのとき、バックライトモジュールより黄色を表示する。低血圧危険患者（収縮圧／拡張圧＜１００／７０ｍｍＨｇ）のとき、バックライトモジュールより赤色を表示する。
【００３２】
使用時、図１、２、３に示すとおり、電気を投入し、電気供給手段１０より電気を関連の素子に供給する同時に、上腕または腕部にカフ４１を巻き付ける。血圧測定のとき、スタートボタン１１を押して、空気ポンプ（図示せず）からカフ４１に空気を注入し、カフ４１を上腕または腕部動脈に巻き付けておく、注入した空気が所定の圧力に達したとき、ポンプ稼働を中止し、リリースバルブ（図示せず）を開放する。
【００３３】
圧力センサー４０により、カフ４１のスローリークによる減圧のとき、被測定者の動脈血液の収縮圧（Ｓｙｓｔｏｌｉｃ  ｂｌｏｏｄ  ｐｒｅｓｓｕｒｅ，  ＳＢＰ）と拡張血圧（Ｄｉａｓｔｏｌｉｃ  ｂｌｏｏｄ  ｐｒｅｓｓｕｒｅ，  ＤＢＰ）を測定する。
【００３４】
圧力センサー４０により、測定した数値をアナログ／デジタル変換手段３０を介して、マイクロプロセッサー２０に伝送する。マイクロプロセッサー２０がその数値を受信した後、表示手段６０に表示すると同時に、あらかじめデータ保存手段に７０に保存した設定数値を読み出して、測定値と比較する。
【００３５】
測定結果が設定値に対して、過大や過少がないとき、表示手段６０に表示する共に、通知手段８０にて緑色のバックライトモジュールを点灯させる。測定結果が設定値に対して、過大や過少のとき、マイクロプロセッサー２０より警告信号を通知手段８０に所定の警告バックライトモジュールの色調（黄色または赤色）より通知した後、測定結果をデータ保存手段７０に保存する。
【００３６】
その後、世界保健機関（ＷＨＯ）、高血圧の発見、診断および治療に関する米国合同委員会, ＪＮＣまたは医療関連組織の改定した最新の健康参考基準値または医療関係組織より修正指示、または医師より指示があるときに、利用者は設定手段５０にて再設定を行い、警告値を表示手段６０より表示する共に、それらの数値をデータ保存手段７０に保存する。測定のとき、再設定後の基準値と測定値との比較を行い、表示手段６０より表示する共に、通知手段８０から所定の警告出力し、血圧測定値を記録して、医師の参考とする。
【図面の簡単な説明】
【００３７】
【図１】本考案の立体概略図である。
【図２】本考案の手段のブロック図である。
【図３】本考案の操作フロー概略図である。
【符号の説明】
【００３８】
１００            本体
１０              電気供給手段
１１              スタートボタン
２０              マイクロプロセッサー
３０              アナログ／デジタル変換手段
４０              圧力センサー
４１              カフ
５０              設定手段
６０              表示手段
７０              データ保存手段
８０              通知手段
【図１】
0003128181.tif 000003
【図２】
0003128181.tif 000004
【図３】
0003128181.tif 000005